(57)【要約】【課題】断線の有無を適切に判断できる糸監視装置を提供する。【解決手段】糸監視装置１は、検出部２０、制御モジュール５０、第１〜第３配線３１，３２，３３、及び切断装置４０を備える。制御モジュール５０は、判断部５２を有する。判断部５２は、第１配線３１における断線の有無を、第１配線３１に衝撃が付与されたときの制御モジュール５０への第１電気信号の入力に基づいて判断し、第２配線３２における断線の有無を、第２配線３２に衝撃が付与されたときの制御モジュール５０への第２電気信号の入力に基づいて判断し、第３配線３３における断線の有無を、第３配線３３に衝撃が付与されたときの制御モジュールへの電力の入力に基づいて判断する。【選択図】図２
2016124629.tif 000002
【特許請求の範囲】
【請求項１】
糸の状態を検出する検出部と、
前記検出部を制御する制御部と、
前記検出部と前記制御部とを電気的に接続して前記検出部と前記制御部との間で第１電気信号を通す第１配線、外部の装置と前記制御部とを電気的に接続して前記外部の装置と前記制御部との間で第２電気信号を通す第２配線、及び電源と前記制御部とを電気的に接続して前記電源と前記制御部との間で電力を通す第３配線の少なくとも１つと、
前記第１配線、前記第２配線及び前記第３配線の少なくとも１つに衝撃を付与する衝撃付与部と、を備え、
前記制御部は、前記第１配線、前記第２配線及び前記第３配線の少なくとも１つにおける断線の有無を判断する判断部を有し、
前記判断部は、
前記第１配線における断線の有無を、前記第１配線に衝撃が付与されたときの前記制御部への前記第１電気信号の入力に基づいて判断し、
前記第２配線における断線の有無を、前記第２配線に衝撃が付与されたときの前記制御部への前記第２電気信号の入力に基づいて判断し、
前記第３配線における断線の有無を、前記第３配線に衝撃が付与されたときの前記制御部への前記電力の入力に基づいて判断する、糸監視装置。
【請求項２】
前記衝撃付与部と、前記第１配線、前記第２配線及び前記第３配線の少なくとも１つと、を保持するケーシングを備える、請求項１に記載の糸監視装置。
【請求項３】
前記衝撃付与部は、駆動部と、前記駆動部によって駆動される被駆動部と、前記被駆動部が衝突する受止部と、を有し、
前記駆動部は、ソレノイドである、請求項１又は２に記載の糸監視装置。
【請求項４】
前記衝撃付与部は、前記糸を切断する切断装置である、請求項１〜３の何れか一項に記載の糸監視装置。
【請求項５】
前記第１配線、前記第２配線及び前記第３配線の少なくとも１つにおける断線の有無を報知する報知部を更に備える、請求項１〜４の何れか一項に記載の糸監視装置。
【請求項６】
前記制御部は、
前記検出部を、前記糸の状態が検出可能な状態とし、
前記糸の状態が検出可能な状態において前記衝撃付与部を作動させることにより、前記第１配線に衝撃を付与し、
前記判断部によって、前記第１配線に衝撃が付与されたときの前記制御部に入力される前記第１電気信号の入力値の変化に基づいて前記第１配線における断線の有無を判断する、
という一連の断線判断処理を実行する、請求項１〜５の何れか一項に記載の糸監視装置。
【請求項７】
前記判断部は、前記入力値の変化と予め記憶された基準値とを比較することによって前記第１配線における断線の有無を判断する、請求項６に記載の糸監視装置。
【請求項８】
前記検出部は、前記糸に対して光を投光する投光部と、前記糸を透過した前記光又は前記糸によって反射された前記光の受光量に応じた前記第１電気信号を前記制御部に出力する複数の受光部と、を有し、
前記制御部は、
前記投光部が投光するように指令されているときに前記衝撃付与部を作動させることにより、前記第１配線に衝撃を付与し、
前記判断部によって、
前記第１配線に衝撃が付与されたときに、前記制御部において全ての前記受光部から出力される前記第１電気信号の入力が無い場合には、前記投光部と前記制御部とを接続する前記第１配線に断線が有る又は前記受光部と前記制御部とを接続する全ての前記第１配線に断線が有ると判断し、
前記第１配線に衝撃が付与されたときに、前記制御部において少なくとも１つの前記受光部から出力される前記第１電気信号の入力が有る場合には、前記受光部と前記制御部とを接続する前記第１配線に断線が有ると判断する、
という一連の断線判断処理を実行する、請求項６又は７に記載の糸監視装置。
【請求項９】
前記検出部は、前記糸を挟んで対向して配置される一対の電極を含み、前記一対の電極間における静電容量に応じた前記第１電気信号を前記制御部に出力する測定コンデンサを有し、
前記制御部は、
前記電極に電圧が印加されているときに前記衝撃付与部を作動させることにより、前記第１配線に衝撃を付与し、
前記判断部によって、前記制御部において前記測定コンデンサから出力される前記第１電気信号の入力の有無に基づいて前記第１配線における断線の有無を判断する、
という一連の断線判断処理を実行する、請求項６〜８の何れか一項に記載の糸監視装置。
【請求項１０】
前記制御部は、
前記制御部が前記外部の装置と通信をしているときに前記衝撃付与部を作動させることにより、前記第２配線に衝撃を付与し、
前記判断部によって、前記第２配線に衝撃が付与されたときの前記制御部と前記外部の装置との間における前記通信の異常の有無に基づいて前記第２配線における断線の有無を判断する、
という一連の断線判断処理を実行する、請求項１〜９の何れか一項に記載の糸監視装置。
【請求項１１】
前記断線の有無を判断中であるか否かを示す判断情報を記憶する記憶部を更に有し、
前記制御部は、
前記記憶部が記憶している前記判断情報を判断中であることを示す情報に更新した後で、前記衝撃付与部を作動させることにより、前記第３配線に衝撃を付与し、
前記第３配線への衝撃の付与に引き続き、前記記憶部が記憶している前記判断情報を判断中でないことを示す情報に更新する、
という一連の動作を実行し、
前記判断部によって、
前記一連の動作が実行できた場合には、前記第３配線に断線が無いと判断し、
前記一連の動作が実行できず、起動時に前記記憶部が記憶している前記判断情報が判断中であることを示す情報の場合には、前記第３配線に断線が有ると判断する、
という一連の断線判断処理を実行する、請求項１〜１０の何れか一項に記載の糸監視装置。
【請求項１２】
前記制御部に前記断線判断処理を実行させる命令を入力する操作部を更に備える、請求項６〜１１の何れか一項に記載の糸監視装置。
【請求項１３】
前記制御部は、所定のタイミングで前記断線判断処理を実行させる、請求項６〜１２の何れか一項に記載の糸監視装置。
【請求項１４】
糸の状態を検出する検出部と、
前記検出部を制御する制御部と、
前記糸を切断する切断装置と、
前記制御部に接続される電気配線と、を備え、
前記制御部は、前記切断装置が糸を切断するときの前記制御部への電気信号又は電力の入力に基づいて前記電気配線における断線の有無を判断する判断部を有する、糸監視装置。
【請求項１５】
糸の状態を検出する検出部と、
前記検出部を制御する制御部と、
前記検出部と前記制御部とを電気的に接続して前記検出部と前記制御部との間で第１電気信号を通す第１配線、外部の装置と前記制御部とを電気的に接続して前記外部の装置と前記制御部との間で第２電気信号を通す第２配線、及び電源と前記制御部とを電気的に接続して前記電源と前記制御部との間で電力を通す第３配線の少なくとも１つと、
前記第１配線、前記第２配線及び前記第３配線の少なくとも１つに衝撃を付与する衝撃付与部と、
前記第１配線、前記第２配線及び前記第３配線の少なくとも１つにおける断線の有無を判断する判断部と、を備え、
前記判断部は、
前記第１配線における断線の有無を、前記第１配線に衝撃が付与されたときの前記制御部への前記第１電気信号の入力に基づいて判断し、
前記第２配線における断線の有無を、前記第２配線に衝撃が付与されたときの前記制御部への前記第２電気信号の入力に基づいて判断し、
前記第３配線における断線の有無を、前記第３配線に衝撃が付与されたときの前記制御部への前記電力の入力に基づいて判断する、糸巻取機。
【請求項１６】
前記第１配線、前記第２配線及び前記第３配線の少なくとも１つにおける断線の有無を報知する報知部と、
前記制御部に前記断線の有無を判断する断線判断処理を実行させる命令を入力する操作部と、を更に備える、請求項１５記載の糸巻取機。
【発明の詳細な説明】
【技術分野】
【０００１】
本発明は、糸監視装置及び糸巻取機に関する。
【背景技術】
【０００２】
給糸ボビンの糸を解舒して巻取ボビンに糸を巻き付ける巻取ユニットが複数台配列された自動ワインダなどの糸巻取機が知られている。このような糸巻取機には、糸の状態を検出する検出部と、当該検出部に配線によって接続されると共に当該検出部を制御する制御部と、を有する各種検出装置が備えられている。各種検出装置の例には、糸に含まれる異物の有無及び／又は糸の太さといった糸の状態を検出する糸監視装置、及び、糸の張力を検出する張力検出装置などが含まれる。
【０００３】
このような各種検出装置では、各種検出装置の確実な作動を担保する目的などにより、検出部と制御部とを接続する配線における断線の有無を適切に判断したいというニーズがある。このようなニーズに応えるものとして、例えば、特許文献１には、検出部から配線を介して制御部に送信されてくる信号の信号レベルに基づいて、配線における断線の有無を判断する判断部を設けた検査装置（検反装置）が開示されている。
【先行技術文献】
【特許文献】
【０００４】
【特許文献１】特開平６−６５８４３号公報
【発明の概要】
【発明が解決しようとする課題】
【０００５】
上記各種検出装置は、配線が断線していても、断線箇所が互いに接触して当該断線箇所が導通することがある。この場合、制御部には、配線が断線していない状態と同様の信号レベルの信号が配線を介して入力される。このため、判断部は、配線における断線の有無を適切に判断できない場合がある。
【０００６】
そこで、本発明の目的は、断線の有無を適切に判断できる糸監視装置及び糸巻取機を提供することにある。
【課題を解決するための手段】
【０００７】
本発明の糸監視装置は、糸の状態を検出する検出部と、検出部を制御する制御部と、検出部と制御部とを電気的に接続して検出部と制御部との間で第１電気信号を通す第１配線、外部の装置と制御部とを電気的に接続して外部の装置と制御部との間で第２電気信号を通す第２配線、及び電源と制御部とを電気的に接続して電源と制御部との間で電力を通す第３配線の少なくとも１つと、第１配線、第２配線及び第３配線の少なくとも１つに衝撃を付与する衝撃付与部と、を備え、制御部は、第１配線、第２配線及び第３配線の少なくとも１つにおける断線の有無を判断する判断部を有し、判断部は、第１配線における断線の有無を、第１配線に衝撃が付与されたときの制御部への第１電気信号の入力に基づいて判断し、第２配線における断線の有無を、第２配線に衝撃が付与されたときの制御部への第２電気信号の入力に基づいて判断し、第３配線における断線の有無を、第３配線に衝撃が付与されたときの制御部への電力の入力に基づいて判断する。
【０００８】
この構成の糸監視装置によれば、第１〜第３配線における断線箇所が互いに接触して導通している場合であっても、衝撃付与部によって第１〜第３配線に意図的に衝撃が付与されることで断線箇所が少なくとも一時的に離間する。これにより、断線箇所は導通しなくなるので、衝撃を付与する前後で制御部への第１電気信号、第２電気信号及び電力の入力に変化が生じる。判断部は、この入力の変化に基づいて断線の有無を判断するので、第１〜第３配線における断線の有無を適切に判断できる。
【０００９】
本発明の糸監視装置は、衝撃付与部と、第１配線、第２配線及び第３配線の少なくとも１つと、を保持するケーシングを備えてもよい。
【００１０】
この構成の糸監視装置では、衝撃付与部と、第１配線、第２配線及び第３配線の少なくとも１つとが同一のケーシングに保持されているので、衝撃付与部が作動する際に当該ケーシングに付与される衝撃を利用して、第１配線、第２配線及び第３配線の少なくとも１つに衝撃を付与することができる。また、衝撃がケーシングを介して第１配線、第２配線及び第３配線に伝わりやすいという利点がある。
【００１１】
本発明の糸監視装置では、衝撃付与部は、駆動部と、駆動部によって駆動される被駆動部と、被駆動部が衝突する受止部と、を有し、駆動部は、ソレノイドであってもよい。
【００１２】
この構成の糸監視装置によれば、駆動部であるソレノイドから付与される駆動力によって被駆動部を高速で動かし、高速で受止部に衝突させて、被駆動部が断線箇所を離間させるのに十分な衝撃を発生させることができる。
【００１３】
本発明の糸監視装置では、衝撃付与部は、糸を切断する切断装置であってもよい。
【００１４】
この構成の糸監視装置によれば、糸切断時における衝撃を利用することができる。また、既存の切断装置を利用すれば、新たな衝撃付与部を付加することなく、第１配線、第２配線及び第３配線の少なくとも１つに衝撃を付与することができる。
【００１５】
本発明の糸監視装置は、第１配線、第２配線及び第３配線の少なくとも１つにおける断線の有無を報知する報知部を更に備えてもよい。
【００１６】
この構成の糸監視装置によれば、オペレータに断線の有無を容易に知らせることができる。
【００１７】
本発明の糸監視装置では、制御部は、検出部を、糸の状態が検出可能な状態とし、糸の状態が検出可能な状態において衝撃付与部を作動させることにより、第１配線に衝撃を付与し、判断部によって、第１配線に衝撃が付与されたときの制御部に入力される第１電気信号の入力値の変化に基づいて第１配線における断線の有無を判断する、という一連の断線判断処理を実行してもよい。
【００１８】
この構成の糸監視装置によれば、制御部は、一連の断線判断処理を実行させることによって、判断部に、第１配線における断線の有無を適切に判断させることができる。
【００１９】
本発明の糸監視装置では、判断部は、入力値の変化と予め記憶された基準値とを比較することによって第１配線における断線の有無を判断してもよい。
【００２０】
この構成の糸監視装置によれば、より正確に断線の有無を判断できる。
【００２１】
本発明の糸監視装置では、検出部は、糸に対して光を投光する投光部と、糸を透過した光又は糸によって反射された光の受光量に応じた第１電気信号を制御部に出力する複数の受光部と、を有し、制御部は、投光部が投光するように指令されているときに衝撃付与部を作動させることにより、第１配線に衝撃を付与し、判断部によって、第１配線に衝撃が付与されたときに、制御部において全ての受光部から出力される第１電気信号の入力が無い場合には、投光部と制御部とを接続する第１配線に断線が有る又は受光部と制御部とを接続する全ての第１配線に断線が有ると判断し、第１配線に衝撃が付与されたときに、制御部において少なくとも１つの受光部から出力される第１電気信号の入力が有る場合には、受光部と制御部とを接続する第１配線に断線が有ると判断する、という一連の断線判断処理を実行してもよい。
【００２２】
この構成の糸監視装置によれば、判断部は、検出部と制御部とを接続する第１配線のうち、投光部と制御部とを接続する第１配線、及び複数の受光部と制御部とを接続する第１配線、を区別して断線の有無を適切に判断できる。
【００２３】
本発明の糸監視装置では、検出部は、糸を挟んで対向して配置される一対の電極を含み、一対の電極間における静電容量に応じた第１電気信号を制御部に出力する測定コンデンサを有し、制御部は、電極に電圧が印加されているときに衝撃付与部を作動させることにより、第１配線に衝撃を付与し、判断部によって、制御部において測定コンデンサから出力される第１電気信号の入力の有無に基づいて第１配線における断線の有無を判断する、という一連の断線判断処理を実行してもよい。
【００２４】
この構成の糸監視装置によれば、検出部は、いわゆる静電容量式の検出部であっても、検出部と制御部とを接続する第１配線における断線の有無を適切に判断できる。
【００２５】
本発明の糸監視装置では、制御部は、制御部が外部の装置と通信をしているときに衝撃付与部を作動させることにより、第２配線に衝撃を付与し、判断部によって、第２配線に衝撃が付与されたときの制御部と外部の装置との間における通信の異常の有無に基づいて第２配線における断線の有無を判断する、という一連の断線判断処理を実行してもよい。
【００２６】
この構成の糸監視装置によれば、制御部は、一連の断線判断処理を実行させることによって、判断部に、第２配線における断線の有無を適切に判断させることができる。
【００２７】
本発明の糸監視装置は、断線の有無を判断中であるか否かを示す判断情報を記憶する記憶部を更に有し、制御部は、記憶部が記憶している判断情報を判断中であることを示す情報に更新した後で、衝撃付与部を作動させることにより、第３配線に衝撃を付与し、第３配線への衝撃の付与に引き続き、記憶部が記憶している判断情報を判断中でないことを示す情報に更新する、という一連の動作を実行し、判断部によって、一連の動作が実行できた場合には、第３配線に断線が無いと判断し、一連の動作が実行できず、起動時に記憶部が記憶している判断情報が判断中であることを示す情報の場合には、第３配線に断線が有ると判断する、という一連の断線判断処理を実行してもよい。
【００２８】
この構成の糸監視装置では、第３配線に断線が有る場合には、衝撃付与部によって第３配線に衝撃が付与されると、断線箇所が少なくとも一時的に離間する。これにより、制御部への電力の入力が途切れるので、この時点で一連の動作は実行できずにリセットされ、記憶部には、断線の有無を判断中であることを示す情報（判断情報）が記憶されたままとなる。このため、判断部は、起動時に記憶部に当該情報が記憶されていることを確認することによって第３配線に断線が有ると判断できる。これに対し、第３配線に断線が無い場合には、制御部への電源の供給が途切れないので、一連の断線判断処理が最後まで実行されて、記憶部には、断線の有無を判断中でないことを示す情報（判断情報）に更新される。このため、判断部は、記憶部に当該情報が記憶されていることを確認することによって第３配線に断線が無いと判断できる。このように、制御部は、一連の断線判断処理を実行されることによって、判断部に、第３配線における断線の有無を適切に判断させることができる。
【００２９】
本発明の糸監視装置は、制御部に断線判断処理を実行させる命令を入力する操作部を更に備えてもよい。
【００３０】
この構成の糸監視装置によれば、例えば、オペレータが操作部を操作することで、制御部に断線判断処理を実行させることができる。
【００３１】
本発明の糸監視装置では、制御部は、所定のタイミングで断線判断処理を実行させてもよい。
【００３２】
この構成の糸監視装置によれば、例えば、制御部は、出荷前の検査時又は定期点検時に実行される検査処理のタイミングに連動して断線判断処理を実行させることができる。
【００３３】
本発明の糸監視装置は、糸の状態を検出する検出部と、検出部を制御する制御部と、糸を切断する切断装置と、制御部に接続される電気配線と、を備え、制御部は、切断装置が糸を切断するときの制御部への電気信号又は電力の入力に基づいて電気配線における断線の有無を判断する判断部を有してもよい。
【００３４】
この構成の糸監視装置によれば、電気配線における断線箇所が互いに接触して導通している場合であっても、切断装置の動作によって電気配線に衝撃が付与されることで断線箇所が少なくとも一時的に離間する。これにより、断線箇所は導通しなくなるので、衝撃を付与する前後で制御部への電気信号及び電力の入力に変化が生じる。判断部は、この入力の変化に基づいて断線の有無を判断するので、電気配線における断線の有無を適切に判断できる。既存の切断装置を利用すれば、新たな衝撃付与部を付加することなく電気配線に衝撃を付与することができる。通常の切断装置の動作のタイミングで断線の有無を判断することもできる。
【００３５】
本発明の糸巻取機は、糸の状態を検出する検出部と、検出部を制御する制御部と、検出部と制御部とを電気的に接続して検出部と制御部との間で第１電気信号を通す第１配線、外部の装置と制御部とを電気的に接続して外部の装置と制御部との間で第２電気信号を通す第２配線、及び電源と制御部とを電気的に接続して電源と制御部との間で電力を通す第３配線の少なくとも１つと、第１配線、第２配線及び第３配線の少なくとも１つに衝撃を付与する衝撃付与部と、第１配線、第２配線及び第３配線の少なくとも１つにおける断線の有無を判断する判断部と、を備え、判断部は、第１配線における断線の有無を、第１配線に衝撃が付与されたときの制御部への第１電気信号の入力に基づいて判断し、第２配線における断線の有無を、第２配線に衝撃が付与されたときの制御部への第２電気信号の入力に基づいて判断し、第３配線における断線の有無を、第３配線に衝撃が付与されたときの制御部への電力の入力に基づいて判断する。
【００３６】
この構成の糸巻取機によれば、制御部と各部とを接続する第１〜第３配線における断線の有無を適切に判断できる。検出部を制御する制御部とは別に判断部が設けられていることによって、糸巻取機の制御に関する部分の設計の自由度が増すという利点がある。
【００３７】
本発明の糸巻取機は、第１配線、第２配線及び第３配線の少なくとも１つにおける断線の有無を報知する報知部と、制御部に断線の有無を判断する断線判断処理を実行させる命令を入力する操作部と、を更に備えてもよい。
【００３８】
この構成の糸巻取機によれば、オペレータに断線の有無を容易に知らせることができると共に、オペレータが操作部を操作することで制御部に断線判断処理を実行させることができる。
【発明の効果】
【００３９】
本発明によれば、断線の有無を適切に判断できる。断線箇所が導通可能に互いに接触していて発見が困難な断線も発見することができる。
【図面の簡単な説明】
【００４０】
【図１】本発明の一実施形態に係る糸巻取機の正面図である。
【図２】図１の糸巻取機の糸監視装置の構成を模式的に示した図である。
【図３】図２の糸監視装置の糸道方向の構成を模式的に示した図である。
【図４】図２の糸監視装置の機能を示すブロック図である。
【図５】図２の糸監視装置における第１判断処理の一例を示すフローチャートである。
【図６】変形例に係る糸監視装置の構成を模式的に示した図である。
【発明を実施するための形態】
【００４１】
以下、図面を参照して一実施形態の糸監視装置１について説明する。図面の説明において、同一要素には同一符号を付し、重複する説明を省略する。図面の寸法比率は、説明のものと必ずしも一致していない。糸監視装置１は、主に糸Ｙの糸太さ変化（以下、「太さムラ」と称する。）及び色糸などの異物を検出する装置である。糸監視装置１は、図１に示すような自動ワインダ２００（糸巻取機）、又は紡績機（糸巻取機）に搭載される。自動ワインダ２００は、給糸ボビン２０２の糸Ｙを解舒して巻取ボビン２０３に糸Ｙを巻き付けるワインダユニット（巻取ユニット）２０１が複数台配列されて構成される。糸監視装置１は、各ワインダユニット２０１に搭載され、走行する糸Ｙの状態を検出する。
【００４２】
糸監視装置１は、図２及び図３に示すように、ケーシング１０、ホルダ１５、検出部２０、第１配線（電気配線）３１、第２配線（電気配線）３２、第３配線（電気配線）３３、切断装置（衝撃付与部）４０及び制御モジュール（制御部）５０を備えている。
【００４３】
ケーシング１０は、樹脂製のハウジングとして構成されている。ケーシング１０には、ホルダ１５、切断装置４０及び制御モジュール５０が保持されている。ホルダ１５には、検出部２０が保持されている。第１配線３１、第２配線３２及び第３配線３３は、ケーシング１０及びホルダ１５に保持されている。第１配線３１、第２配線３２及び第３配線３３は、ケーブル及び／又は基板上に形成されたプリント配線である。
【００４４】
ホルダ１５には、糸Ｙが走行する糸道となる部分を含む検出空間としての糸通路１１が、当該糸Ｙの走行方向に沿って形成されている。なお、この糸通路１１は、糸監視装置１の装置正面側に向けて開放された形状となっている。
【００４５】
検出部２０は、投光部２１、第１反射光受光部（受光部）２２、第２反射光受光部（受光部）２３及び透過光受光部（受光部）２４を有している。
【００４６】
投光部２１は、糸通路１１に対して光を投光する。投光部２１は、例えばＬＥＤであって、一方向に光を出射する。投光部２１は、制御モジュール５０が出力する電気信号の入力（制御モジュール５０から印加される電圧）に基づいて光を発光する。
【００４７】
第１反射光受光部２２は、糸Ｙによって反射された投光部２１からの光を受光する。第１反射光受光部２２は、受光面に対して入射する光を受光する。第１反射光受光部２２は、フォトダイオードであり、受光した光の受光量に応じた電気信号を制御モジュール５０に出力する。
【００４８】
第２反射光受光部２３は、糸Ｙによって反射された投光部２１からの光を受光する。第２反射光受光部２３は、受光面に対して入射する光を受光する。第２反射光受光部２３は、フォトダイオードであり、受光した光の受光量に応じた電気信号を制御モジュール５０に出力する。
【００４９】
透過光受光部２４は、糸Ｙを透過した投光部２１からの光を受光する。透過光受光部２４は、フォトダイオードであり、受光した光の受光量に応じた電気信号を制御モジュール５０に出力する。以下、第１反射光受光部２２、第２反射光受光部２３及び透過光受光部２４が、制御モジュール５０に向けて出力するそれぞれの電気信号を「第１電気信号」と総称する。
【００５０】
第１配線３１は、検出部２０と制御モジュール５０とを電気的に接続する。具体的には、第１配線３１は、投光部２１と制御モジュール５０との間で電気信号を通し、各受光部２２，２３，２４と制御モジュール５０との間で第１電気信号を通す。第１配線３１は、投光部用配線３１ａ、第１反射光受光部用配線３１ｂ、第２反射光受光部用配線３１ｃ及び透過光受光部用配線３１ｄを有している。投光部用配線３１ａは、投光部２１と制御モジュール５０とを接続し、制御モジュール５０が出力する電気信号を投光部２１に入力させる。第１反射光受光部用配線３１ｂは、第１反射光受光部２２と制御モジュール５０とを接続し、第１反射光受光部２２が出力する第１電気信号を制御モジュール５０に入力させる。第２反射光受光部用配線３１ｃは、第２反射光受光部２３と制御モジュール５０とを接続し、第２反射光受光部２３が出力する第１電気信号を制御モジュール５０に入力させる。透過光受光部用配線３１ｄは、透過光受光部２４と制御モジュール５０とを接続し、透過光受光部２４が出力する第１電気信号を制御モジュール５０に入力させる。
【００５１】
第１配線３１は、ケーブルと、基板上に形成されたプリント配線とから構成されている。第１配線３１のうちのケーブルの部分はケーシング１０に保持され、プリント配線の部分はホルダ１５に保持されている。第１配線３１は、上記の各配線３１a，３１ｂ，３１ｃ，３１ｄの他に、制御モジュール５０が出力する電力を検出部２０に入力するための電力用配線を更に有していてもよい。
【００５２】
第２配線３２は、制御モジュール５０とユニットコントローラ（外部の装置）２とを通信させる。具体的には、第２配線３２は、ユニットコントローラ２が出力する電気信号を制御モジュール５０に入力させ、且つ制御モジュール５０が出力する電気信号をユニットコントローラ２に入力させる。以下、ユニットコントローラ２が制御モジュール５０に向けて出力する電気信号を「第２電気信号」と総称する。
【００５３】
なお、ユニットコントローラ２はワインダユニット２０１ごとに設けられており、ワインダユニット２０１に含まれる各種装置との間で通信を行っている。第２配線３２は、ケーシング１０に保持されると共に、ケーシング１０の外部に引き出されている。
【００５４】
第３配線３３は、電源３と制御モジュール５０とを電気的に接続して、電源３が出力する電力を制御モジュール５０に入力させる。第３配線３３は、ケーシング１０に保持されると共に、ケーシング１０の外部に引き出されている。
【００５５】
切断装置４０は、ソレノイド（駆動部）４１、切断刃（被駆動部）４２、及びアンビル４３を有している。ソレノイド４１は、電気的エネルギーを機械的エネルギーに変換するアクチュエータであって、所定方向に直線的に可動するプランジャーを有している。切断刃４２は、当該プランジャーの先端部に配置され、ソレノイド４１から付与される駆動力によって当該所定方向に沿って直線的に可動される。アンビル４３は角張ったＵ字型（コ字型）に形成され、一対の側壁が糸通路１１を挟んで対向するように配置されている。ソレノイド４１がアンビル４３の一方の側壁に取り付けられ、切断刃４２がアンビル４３の他方の側壁（受止部）４３ａに衝突する。
【００５６】
この切断装置４０は、切断刃４２の可動方向が糸Ｙの走行方向と直交するようにケーシング１０に保持されている。切断装置４０は、ネジなどの固定手段によってケーシング１０に固定されている。切断刃４２は、ソレノイド４１から駆動力が付与されることによって糸通路１１を横切り、ケーシング１０に保持されたアンビル４３の他方の側壁４３ａに衝突する。糸Ｙは、切断刃４２とアンビル４３との間に挟まれることによって切断される。糸Ｙが切断される際には、切断刃４２がアンビル４３の側壁４３ａに衝突するため、当該衝突による衝撃が発生する。この衝撃は、アンビル４３を保持するケーシング１０に伝わり、ケーシング１０に保持された第１〜第３配線３１，３２，３３にも伝わる。なお、アンビル４３の形状はＵ字型に限定されない。また、アンビル４３をケーシング１０から独立した部材として設けずに、切断装置４０をケーシング１０に直接取り付け、糸通路１１を形成する面を切断刃４２の受止部としても良い。
【００５７】
制御モジュール５０は、ＣＰＵ（Central Processing Unit）、ＲＯＭ（ReadOnly Memory）、ＲＡＭ（Random Access Memory）、アナログフロントエンド部などで構成されている。アナログフロントエンド部は、フィルタ部、信号増幅部、及びＡ／Ｄ変換部等を有している。
【００５８】
図４に示すように、制御モジュール５０は、糸監視装置１における各種制御処理を実行する概念的な部分として、糸監視制御部５１、判断部５２、記憶部５３及び断線判断処理部５４を備えている。制御モジュール５０には、検出部２０である各受光部２２，２３，２４が出力する第１電気信号が第１配線３１を介して入力される。また、制御モジュール５０には、ユニットコントローラ２が出力する第２電気信号が第２配線３２を介して入力される。また、制御モジュール５０には、電源３が出力する電力が第３配線３３を介して入力される。
【００５９】
糸監視制御部５１は、第１反射光受光部２２及び第２反射光受光部２３がそれぞれ出力する第１電気信号の入力に基づいて、第１反射光受光部２２及び第２反射光受光部２３が受光する光の強度を監視している。第１反射光受光部２２及び第２反射光受光部２３によって受光される光は、糸Ｙの表面で反射した反射光であるから、糸Ｙの表面の色に応じて、当該反射光の強度も変動する。糸監視制御部５１は、この光の強度変化に基づいて、糸Ｙに含まれる色糸などの異物の混入の有無を判定する。糸監視制御部５１は、糸Ｙに異物の混入が有ると判定すると、ソレノイド４１に電気信号を入力し、切断刃４２を可動させて糸Ｙを切断させる。
【００６０】
また、糸監視制御部５１は、透過光受光部２４が出力する第１電気信号の入力に基づいて、透過光受光部２４が受光する光の強度を監視している。透過光受光部２４によって受光される光は、糸Ｙによって一部遮断されながら透過光受光部２４に到達した光であるから、糸Ｙの太さに応じて強度が変動する。糸監視制御部５１は、この光の強度変化に基づいて、糸Ｙの太さムラを検出する。具体的には、糸監視制御部５１は、透過光受光部２４において受光する光が弱くなった場合、糸Ｙの太さが相対的に太くなったと判定する。これに対し、糸監視制御部５１は、透過光受光部２４において受光する光が強くなった場合、糸Ｙの太さが相対的に細くなったと判定する。糸監視制御部５１は、糸Ｙに太さムラが有ると判定すると、ソレノイド４１に電気信号を入力し、切断刃４２を可動させて糸Ｙを切断させる。
【００６１】
判断部５２は、第１配線３１における断線の有無を、第１配線３１に衝撃が付与されたときの制御モジュール５０への第１電気信号の入力に基づいて判断する。また、判断部５２は、第２配線３２における断線の有無を、第２配線３２に衝撃が付与されたときの制御モジュール５０への第２電気信号の入力に基づいて判断する。また、判断部５２は、第３配線における断線の有無を、第３配線に衝撃が付与されたときの制御モジュール５０への電力の入力に基づいて判断する。なお、第１〜第３配線３１，３２，３３におけるそれぞれの断線の有無の判断処理については、後段にて詳述する。
【００６２】
記憶部５３は、断線を判断するための情報を記憶する。具体的には、記憶部５３は、不揮発性メモリによって構成され、当該不揮発性メモリに当該情報を記憶する。なお、記憶部５３は、揮発性メモリとバックアップ用電源（例えば電池）とで構成されていても良い。
【００６３】
断線判断処理部５４は、第１〜第３配線３１，３２，３３における断線の有無を判断するために、糸監視装置１の各部に対し、第１〜第３断線判断処理を実行させる。第１〜第３断線判断処理に関する詳細は後述する。
【００６４】
糸監視装置１は、報知部４及び操作部５を更に備えている。報知部４及び操作部５は、ケーシング１０に設置されている。報知部４は、第１〜第３配線３１，３２，３３の少なくとも何れか１つが判断部５２によって断線していると判断された場合、例えばランプの点灯、音声又は映像などでオペレータに報知する。操作部５は、例えば操作ボタンやタッチパネルディスプレイなどの入力装置である。オペレータは、操作部５を操作することによって、断線判断処理部５４に第１〜第３断線判断処理を実行させる命令を入力することができる。
【００６５】
続いて、糸監視装置１の動作について説明する。糸監視装置１は、給糸ボビン２０２の糸Ｙを解舒して巻取ボビン２０３に糸Ｙを巻き付ける巻取り動作において、糸通路１１を走行する糸Ｙの状態を監視する。具体的には、糸監視制御部５１が、各受光部２２，２３，２４が出力する第１電気信号に基づいて糸Ｙの状態を判定する。糸監視制御部５１は、糸Ｙに太さムラ又は異物の混入が有ると判定すると切断装置４０を駆動させて糸Ｙを切断させる。
【００６６】
糸監視装置１では、上記のような糸Ｙの状態を監視するための監視処理とは別に、第１〜第３配線３１，３２，３３における断線の有無を判断するための断線判断処理を実行する。具体的には、第１配線３１における断線の有無を判断する第１断線判断処理、第２配線３２における断線の有無を判断する第２断線判断処理、及び第３配線３３における断線の有無を判断する第３断線判断処理を実行する。以下、第１〜第３断線判断処理について詳細に説明する。
【００６７】
（１）第１断線判断処理
断線判断処理部５４は、第１配線３１における断線の有無を判断するために、一連の第１断線判断処理を実行する。具体的には、断線判断処理部５４は、「検出部２０を、糸Ｙの状態を検出可能な状態とし、糸Ｙの状態が検出可能な状態において切断装置４０を作動させることにより、第１配線３１に衝撃を付与し、判断部５２に、第１配線３１に衝撃が付与されたときの制御モジュール５０への第１電気信号の入力に基づいて第１配線３１における断線の有無を判断させる」という一連の第１断線判断処理を実行する。なお、糸Ｙの状態を検出可能な状態とは、投光部２１が投光するように指示されている状態であって、断線によって実際に投光部２１が光を投光できない状態も含む。このとき、糸Ｙが糸通路１１にない状態であることが好ましい。余計な糸切断と糸継作業を回避するためである。以下、図５を参照しながら、具体的に説明する。
【００６８】
第１断線判断処理は、図５に示すように、オペレータが操作部５を操作して、第１断線判断処理を実行させる命令が断線判断処理部５４に入力されることにより開始される（ステップＳ１）。断線判断処理部５４は、検出部２０を糸Ｙの状態が検出可能な状態にする（ステップＳ２）。具体的には、断線判断処理部５４は、投光部２１に光を投光させ、第１反射光受光部２２、第２反射光受光部２３及び透過光受光部２４に光を受光させる。ここで、投光部２１は、オペレータが操作部５を操作することによって、投光するように指令される。
【００６９】
次に、断線判断処理部５４は、糸Ｙの状態を検出可能な状態において（投光部２１が投光するように指令されているときに）、切断装置４０のソレノイド４１を駆動させる（切断装置４０を作動させる）。このとき、ケーシング１０に保持されたアンビル４３の側壁４３ａに切断刃４２が衝突するので、ケーシング１０及びホルダ１５に保持された第１配線３１に衝撃が付与される（ステップＳ３）。第１配線３１が断線している場合には、断線箇所が少なくとも一時的に離間するので、衝撃が付与されたときの制御モジュール５０への第１電気信号の入力が変化する。
【００７０】
次に、断線判断処理部５４は、判断部５２に、衝撃が付与されたときの制御モジュール５０への第１電気信号の入力に基づいて第１配線３１における断線の有無を判断させる。具体的には、判断部５２は、受光部２２，２３，２４からそれぞれ出力される全ての第１電気信号が制御モジュール５０に入力されているか否かを判定する（ステップＳ４）。ここで、受光部２２，２３，２４からそれぞれ出力される全ての第１電気信号が制御モジュール５０に入力されていない場合には（ステップＳ４：ＹＥＳ）、判断部５２は、投光部２１と制御モジュール５０とを接続する投光部用配線３１ａに断線が有る（又は各受光部２２，２３，２４と制御モジュール５０とを接続する各配線３１ｂ，３１ｃ，３１ｄの全てに断線が有る）と判断する（ステップＳ５）。
【００７１】
一方で、受光部２２，２３，２４からそれぞれ出力される少なくとも１つの第１電気信号が制御モジュール５０に入力されている場合には（ステップＳ４：ＮＯ）、判断部５２は、受光部２２，２３，２４のうち少なくとも１つの受光部と制御モジュール５０とを接続する第１配線３１に断線が有ると判断する。次に、判断部５２は、制御モジュール５０に第１電気信号の入力をしていない受光部を特定し（ステップＳ６）、ステップＳ６で特定した受光部と制御モジュール５０を接続する第１配線３１に断線が有ると判定する（ステップＳ７）。
【００７２】
例えば、判断部５２は、第１反射光受光部２２から出力される第１電気信号の入力が無い場合には、第１反射光受光部２２と制御モジュール５０とを接続する第１反射光受光部用配線３１ｂに断線が有ると判断する。また、判断部５２は、第２反射光受光部２３から出力される第１電気信号の入力が無い場合には、第２反射光受光部２３と制御モジュール５０とを接続する第２反射光受光部用配線３１ｃに断線が有ると判断する。また、判断部５２は、透過光受光部２４から出力される第１電気信号の入力が無い場合には、透過光受光部２４と制御モジュール５０とを接続する透過光受光部用配線３１ｄに断線が有ると判断する。なお、「第１電気信号の入力が無い」とは、受光部２２，２３，２４から制御モジュール５０に信号が伝わっていない（制御モジュール５０が第１電気信号を受信していない）ことを意味する。
【００７３】
上記ステップＳ７では、衝撃が付与されたときの各受光部２２，２３，２４から制御モジュール５０に入力される第１電気信号の入力の「有無」に基づいて、各配線３１ａ，３１ｂ，３１ｃ，３１ｄにおける断線の有無を判定する例を挙げて説明したが、判断部５２は、衝撃が付与されたときに各受光部から制御モジュール５０に入力される第１電気信号における入力値の「変化」に基づいて、各配線３１ａ，３１ｂ，３１ｃ，３１ｄにおける断線の有無を判断してもよい。より具体的には、判断部５２は、当該入力値の変化と予め記憶された基準値とを比較することによって各配線３１ａ，３１ｂ，３１ｃ，３１ｄにおける断線の有無を判断してもよい。例えば、判断部５２は、入力値の変化が基準値を上回った場合には当該配線に断線が有ると判断し、入力値の変化が基準値を下回った場合には当該配線に断線が無いと判断してもよい。
【００７４】
（２）第２断線判断処理
断線判断処理部５４は、第２配線３２における断線の有無を判断するために、一連の第２断線判断処理を実行する。具体的には、断線判断処理部５４は、「制御モジュール５０がユニットコントローラ２と通信をしているときに切断装置４０を作動させることにより、第２配線３２に衝撃を付与し、判断部５２に、第２配線３２に衝撃が付与されたときの制御モジュール５０とユニットコントローラ２との間における通信の異常の有無に基づいて第２配線３２における断線の有無を判断させる」という一連の第２断線判断処理を実行する。以下、具体的に説明する。
【００７５】
第２断線判断処理は、オペレータが操作部５を操作して、第２断線判断処理を実行させる命令が断線判断処理部５４に入力されることにより開始される。断線判断処理部５４は、制御モジュール５０の通信部（不図示）を制御してユニットコントローラ２との間で通信を開始させる。断線判断処理部５４は、制御モジュール５０がユニットコントローラ２と通信をしているときに、切断装置４０のソレノイド４１を駆動させる。このとき、ケーシング１０に保持されたアンビル４３の側壁４３ａに切断刃４２が衝突するので、ケーシング１０及びホルダ１５に保持された第２配線３２に衝撃が付与される。第２配線３２が断線している場合には、断線箇所が少なくとも一時的に離間するので、衝撃が付与されたときの制御モジュール５０への第２電気信号の入力が変化する。
【００７６】
断線判断処理部５４は、判断部５２に、衝撃が付与されたときの制御モジュール５０への第２電気信号の入力に基づいて第２配線３２における断線の有無を判断させる。具体的には、判断部５２は、制御モジュール５０への第２電気信号の入力が無い（すなわち、制御モジュール５０とユニットコントローラ２との間の通信に異常が発生している）場合には、第２配線３２に断線が有ると判断する。また、判断部５２は、制御モジュール５０への第２電気信号の入力が有る（すなわち、制御モジュール５０とユニットコントローラ２との間の通信が正常に維持されている）場合には、第２配線３２に断線が無いと判断する。
【００７７】
（３）第３断線判断処理
断線判断処理部５４は、第３配線３３における断線の有無を判断するために、一連の第３断線判断処理を実行する。具体的には、断線判断処理部５４は、『「記憶部５３に記憶される判断フラグ（判断情報）を判断中であることを示す情報（例えば「１」の数値）に更新した後で、切断装置４０を作動させることにより、第３配線３３に衝撃を付与し、第３配線３３への衝撃の付与に引き続き、記憶部５３に記憶される判断フラグを判断中でないことを示す情報（例えば「０」の数値）に更新する」という一連の動作を実行し、判断部５２に、一連の動作が実行できた場合には、第３配線３３に断線が無いと判断させ、一連の動作が実行できず、起動時に記憶部５３に記憶される判断フラグが判断中であることを示す情報の場合には、第３配線３３に断線が有ると判断させる』という一連の第３断線判断処理を実行する。以下、具体的に説明する。
【００７８】
第３断線判断処理は、オペレータが操作部５を操作して、第３判断処理を実行させる命令が断線判断処理部５４に入力されることにより開始される。断線判断処理部５４は、第３断線判断処理が開始されると、記憶部５３に記憶される判断フラグを判断中であることを示す情報に更新する。記憶部５３に記憶される判断フラグが判断中であることを示す情報に更新された状態で、断線判断処理部５４は、切断装置４０のソレノイド４１を駆動させる。これにより、ケーシング１０に保持されたアンビル４３に切断刃４２が衝突するので、ケーシング１０に保持された第３配線３３に衝撃が付与される。
【００７９】
第３配線３３が断線している場合には、断線箇所が少なくとも一時的に離間するので、衝撃が付与されたときの制御モジュール５０への電力の入力が途切れる。すなわち、制御モジュール５０に電力が供給されなくなる。これに対し、第３配線３３が断線していない場合には、衝撃が付与されたときの制御モジュール５０への電力の入力が途切れない。断線判断処理部５４は、第３配線３３に衝撃が付与された後に、記憶部５３に記憶される判断フラグを判断中でないことを示す情報に更新する。
【００８０】
判断部５２は、「記憶部５３に記憶される判断フラグを判断中であることを示す情報に更新した後で、切断装置４０を作動させることにより、第３配線３３に衝撃を付与し、第３配線３３への衝撃の付与に引き続き、記憶部５３に記憶される判断フラグを判断中でないことを示す情報に更新する」という、一連の動作が実行できた場合には、第３配線３３に断線が無いと判断する。
【００８１】
また、判断部５２は、上記一連の動作が実行できず、起動時に記憶部５３に記憶される判断フラグが判断中であることを示す情報の場合には、第３配線３３に断線が有ると判断する。すなわち、第３配線３３に断線がある場合、第３配線３３に衝撃が付与された時点で、制御モジュール５０に電力が供給されなくなる。このため、第３断線判断処理がリセット（強制終了）され、一連の動作も中断されてしまう。このとき、不揮発性のメモリからなる記憶部５３は、リセット前の判断フラグの情報が消えることなく記憶されたままとなっている。判断部５２は、次回に電源が投入されたとき（再起動時）のタイミングで、記憶部５３に記憶されている判断フラグが判断中であることを示す情報であるか否かを確認する。判断部５２は、記憶部５３に記憶されている判断フラグが判断中であることを示す情報である場合には、第３配線３３に断線が有ると判断する。
【００８２】
上記のような第１〜第３断線判断処理は、例えば、操作部５に設けられた１つの操作ボタンをオペレータが操作することによって一括で実行されてもよい。また、第１〜第３断線判断処理は、例えば、操作部５に設けられた各断線判断処理を実行させるため各操作ボタンを、オペレータによって選択的に操作されることで実行されてもよい。
【００８３】
以上説明したように、本実施形態の糸監視装置１によれば、第１〜第３配線３１，３２，３３における断線箇所が互いに接触して導通している場合であっても、切断装置４０によって第１〜第３配線３１，３２，３３に意図的に衝撃が付与されることで断線箇所が少なくとも一時的に離間する。これにより、断線箇所は導通しなくなるので、衝撃を付与する前後で制御モジュール５０への第１電気信号、第２電気信号及び電力の入力に変化が生じる。判断部５２は、この入力の変化に基づいて第１〜第３配線３１，３２，３３における断線の有無を判断するので、第１〜第３配線３１，３２，３３における断線の有無を適切に判断できる。
【００８４】
この構成の糸監視装置１では、ケーシング１０に一体的に保持されることが多い切断装置４０が作動する際に、アンビル４３を介して当該ケーシング１０及びホルダ１５に付与される衝撃を、第１配線３１、第２配線３２及び第３配線３３の少なくとも１つに付与することができる。この結果、専用の衝撃付与部を設けることなく、第１配線３１、第２配線３２及び第３配線３３の少なくとも１つに衝撃を付与することができる。
【００８５】
以上、本発明の一実施形態について説明したが、本発明は上記実施形態に限定されない。発明の趣旨を逸脱しない範囲で種々の変更が可能である。
【００８６】
上記実施形態の糸監視装置１では、検出部２０として、投光部と受光部とを有する、いわゆる光学式の検出部を用いる例を挙げて説明したが、一対の電極を含む測定コンデンサ、いわゆる静電容量式の検出部を用いてもよい。以下、静電容量式の検出部を有する糸監視装置１００について、図６を用いて説明する。糸監視装置１００では、図６に示すように、糸Ｙを挟んで対向する一対の電極１２１Ａからなる測定コンデンサ１２１を有している点で、投光部２１、第１反射光受光部２２、第２反射光受光部２３及び透過光受光部２４を有している検出部２０を備える糸監視装置１とは異なる。その他は、上記実施形態に係る糸監視装置１と同じである。
【００８７】
糸監視装置１００では、一対の電極１２１Ａに電圧が印加されると共に、一対の電極１２１Ａ間の静電容量に応じた第１電気信号が制御モジュール５０に入力される。このような糸監視装置１００において、断線判断処理部５４は、各部に対し、以下のような断線判断処理を実行させる。すなわち、断線判断処理部５４は、電極１２１Ａに電圧が印加されているときに切断装置４０を作動させる。断線判断処理部５４は、判断部５２に対し、衝撃が付与されたときの一対の電極１２１Ａから出力される第１電気信号の入力に基づいて断線の有無を判断させる。これにより、判断部５２は、制御モジュール５０において一対の電極１２１Ａから出力される第１電気信号の入力が無い場合には、電極１２１Ａと制御モジュール５０とを接続する第１配線３１の断線が有ると判断できる。
【００８８】
上記実施形態の糸監視装置１，１００では、断線判断処理部５４は、オペレータが操作部５を操作することによって、各部に対し、第１〜第３断線判断処理を実行させているが、所定の条件に応じて自動的に実行させてもよい。例えば、断線判断処理部５４は、出荷前の検査時又は定期点検時に実行される検査処理に連動して、各部に対し、第１〜第３断線判断処理を実行させてもよい。また、断線判断処理部５４は、糸Ｙに太さムラ又は異物が検出されて切断装置４０が駆動するタイミングに連動して、各部に対し、第１〜第３断線判断処理を実行させてもよい。
【００８９】
上記実施形態の糸監視装置１では、検出部２０は複数の受光部２２，２３，２４を有しているが、検出部２０は単一の受光部を有していてもよい。
【００９０】
上記実施形態の糸監視装置１では、第１〜第３配線３１，３２，３３に衝撃を付与するための装置として切断装置４０を備えているが、糸監視装置１は、切断装置４０とは別に、第１配線３１、第２配線３２、及び第３配線３３の少なくとも１つに衝撃を付与する専用の装置を備えていてもよい。例えば、糸監視装置１は、ハンマーのような打撃装置を衝撃付与装置として備えていてもよい。
【００９１】
また、糸監視装置１が自動ワインダ２００などの糸巻取機に設けられる場合においては、第１〜第３配線３１，３２，３３に衝撃を付与するための衝撃付与部として、サクションマウス又は中継パイプなどの可動装置を採用してもよい。サクションマウス及び中継パイプは、糸Ｙを捕捉して糸継装置に案内する既知の糸捕捉案内装置である。例えば、サクションマウスが移動して停止することにより生じる衝撃が、第１〜第３配線３１，３２，３３に付与されるような構成としてもよい。
【００９２】
また、上記実施形態では、制御モジュール５０が糸監視制御部５１、判断部５２、記憶部５３及び断線判断処理部５４を備えているが、ユニットコントローラ２にこれら各部が備えられてもよい。また、糸巻取機の機台端部に設けられた糸巻取機全体を管理する機台管理装置（例えば図１に示す機台管理装置２０４）にこれら各部が備えられてもよい。
【００９３】
また、上記実施形態では、報知部４及び操作部５はケーシング１０に設置されているが、糸巻取機の機台端部に設置されていてもよい。この場合、各ワインダユニット２０１の糸監視装置１本体に対して、複数個まとめて断線判断処理の実行を命令することができる。ここでの糸監視装置１本体とは、ケーシング１０に収容された部分をいう。報知部４及び操作部５が機台端部に設置されて糸監視装置１本体から遠く離れている場合も、報知部４及び操作部５を含めて糸監視装置１と称す。この場合の糸監視装置１は、糸監視システムと称しても良い。報知部４及び操作部５が機台端部に設置されている場合、報知部４及び操作部５は、糸監視装置１専用の機器として設けられてもよいし、糸巻取機全体に対して操作可能且つ糸巻取機全体の情報を報知可能な設定管理装置の一機能として（例えば図１に示す報知部２０５及び操作部２０６の一部として）、報知部４及び操作部５が設けられても良い。
【００９４】
上記実施形態の糸監視装置１，１００は、主に糸Ｙの太さムラ及び異物を検出する検出装置であったが、本発明はこれに限定されない。例えば、糸監視装置は、巻き取る糸の長さを検出（監視）する光電式定長装置、又は糸の張力を検出（監視）する張力検出装置であってもよい。すなわち、本発明は、糸の状態（太さムラ、異物混入、長さ、張力など）を監視する装置であって、電気信号又は電力を供給する配線を備えるものであれば適用できる。
【００９５】
上記実施形態の糸監視装置１，１００は、光学式の検出部及び静電容量式の検出部のいずれか一方を備えている構成となっているが、糸監視装置１，１００は、光学式の検出部及び静電容量式の検出部の両方を備えていてもよい。この場合、各検出部は、糸Ｙの走行方向に沿って配置されることによって、糸Ｙの走行方向における異なった位置から糸Ｙの状態を監視できる。
【００９６】
上記実施形態の糸監視装置１，１００は、第１〜第３配線３１，３２，３３を備えているが、糸監視装置１，１００は、第２及び第３配線３１，３２を備えていなくてもよい。
【符号の説明】
【００９７】
１，１００…糸監視装置、２…ユニットコントローラ（外部の装置）、３…電源、４…報知部、５…操作部、１０…ケーシング、２０…検出部、２１…投光部、２２…第１反射光受光部（受光部）、２３…第２反射光受光部（受光部）、２４…透過光受光部（受光部）、３１…第１配線（電気配線）、３２…第２配線（電気配線）、３３…第３配線（電気配線）、４０…切断装置（衝撃付与部）、４１…ソレノイド（駆動部）、４２…切断刃（被駆動部）、４３ａ…側壁（受止部）、５０…制御モジュール（制御部）、５２…判断部、５３…記憶部、５４…断線判断処理部、１２１…測定コンデンサ、１２１Ａ…電極、Ｙ…糸。
【図１】
2016124629.tif 000003
【図２】
2016124629.tif 000004
【図３】
2016124629.tif 000005
【図４】
2016124629.tif 000006
【図５】
2016124629.tif 000007
【図６】
2016124629.tif 000008